(57)【特許請求の範囲】
【請求項１】
天井に吊り下げられる外箱内にこの外箱内を上下に仕切る仕切り板を備え、この仕切り板に、空気吸込み口を仕切り板の下の一次空間に臨ませ、空気吹き出し口を仕切り板の上の二次空間に臨ませた送風機を取り付け、この送風機により吸い込んだ空気を、仕切り板の上の二次空間内に配置された熱交換器によって熱交換して送風する２方向カセット型の天井埋込型空気調和装置において、
前記ファンケースを上ケースと下ケースとに分割し、
前記仕切り板には前記上ケースのフランジよりも上に位置する全部を前記仕切り板の外に突出可能に開口を形成し、
この開口から突出した前記上ケースの全部を当該仕切り板の上の二次空間に臨ませて、前記上ケースを当該上ケースのフランジを介して前記仕切り板に固定したことを特徴とする天井埋込型空気調和装置。
【請求項２】
前記送風機の空気吸込み口を画成するノズルを、当該送風機のファンケースの側面に備え、このファンケースの側面であって、ノズルの下部に略円弧状の突起を備えたことを特徴とする請求項１記載の天井埋込型空気調和装置。
【請求項３】
前記突起が前記ノズル外周の略１／３の長さを備えたことを特徴とする請求項２記載の天井埋込型空気調和装置。
【請求項４】
前記仕切り板が断熱鋼板であることを特徴とする請求項１乃至３のいずれか一項記載の天井埋込型空気調和装置。
【請求項５】
前記仕切り板の断熱面を当該仕切り板の上の二次空間に臨ませたことを特徴とする請求項４記載の天井埋込型空気調和装置。
【発明の詳細な説明】
【０００１】
【発明の属する技術分野】
本発明は、天井に吊り下げられる外箱を備え、この外箱の高さ方向の寸法を小さく抑えた天井埋込型空気調和装置に関する。
【０００２】
【従来の技術】
一般に、２方向カセットや４方向カセット等と呼称される天井埋込型の空気調和装置であって、天井に吊り下げられる外箱内にこの外箱内を上下に仕切る仕切り板を備え、この仕切り板に、空気吸込み口を仕切り板の下の一次空間に臨ませ、空気吹き出し口を仕切り板の上の二次空間に臨ませた送風機を取り付け、この送風機により吸い込んだ空気を、仕切り板の上の二次空間内に配置された熱交換器によって熱交換して送風する天井埋込型空気調和装置が知られている。
【０００３】
ところで、近年では、天井裏の高さが低いビル等の建物が普及しており、この種の建物に、本天井埋込型空気調和装置を設置する場合、どうしても外箱の高さ方向の寸法に制約を受けることになる。
【０００４】
【発明が解決しようとする課題】
しかし、従来の構成では、外箱内に設置された仕切り板の下の一次空間内に、上記送風機のファンケースのすべてを収容したことから、その分だけ仕切り板の位置が高くなり、その上に二次空間を確保するとなると、どうしても外箱の高さ方向の寸法が大きくなるといった問題がある。
【０００５】
そこで、本発明の目的は、外箱の高さ方向の寸法を小さくすることができる、天井埋込型空気調和装置を提供することにある。
【０００６】
【課題を解決するための手段】
請求項１記載の発明は、天井に吊り下げられる外箱内にこの外箱内を上下に仕切る仕切り板を備え、この仕切り板に、空気吸込み口を仕切り板の下の一次空間に臨ませ、空気吹き出し口を仕切り板の上の二次空間に臨ませた送風機を取り付け、この送風機により吸い込んだ空気を、仕切り板の上の二次空間内に配置された熱交換器によって熱交換して送風する２方向カセット型の天井埋込型空気調和装置において、前記ファンケースを上ケースと下ケースとに分割し、前記仕切り板には前記上ケースのフランジよりも上に位置する全部を前記仕切り板の外に突出可能に開口を形成し、この開口から突出した前記上ケースの全部を当該仕切り板の上の二次空間に臨ませて、前記上ケースを当該上ケースのフランジを介して前記仕切り板に固定したことを特徴とするものである。
【０００７】
請求項２記載の発明は、請求項１記載のものにおいて、前記送風機の空気吸込み口を画成するノズルを、当該送風機のファンケースの側面に備え、このファンケースの側面であって、ノズルの下部に略円弧状の突起を備えたことを特徴とする。
【０００８】
請求項３記載の発明は、請求項２記載のものにおいて、前記突起が前記ノズル外周の略１／３の長さを備えたことを特徴とする。
【０００９】
請求項４記載の発明は、請求項１乃至３のいずれか一項記載のものにおいて、前記仕切り板が断熱鋼板であることを特徴とする。
【００１０】
請求項５記載の発明は、請求項４記載のものにおいて、前記仕切り板の断熱面を当該仕切り板の上の二次空間に臨ませたことを特徴とする。
【００１３】
【発明の実施の形態】
以下、本発明の一実施形態を添付図面に従って説明する。
【００１４】
図１は、２つの空気吹出し口を備えた、一般的に、いわゆる２方向カセットと呼称される天井埋込型空気調和機を示している。１は箱形の室内機本体を示し、この室内機本体１には、送風機３、熱交換器５、発泡スチロール製のドレンパン７、図示を省略したドレンポンプ等の各種機器類が収納されている。
【００１５】
この室内機本体１は、被調和室の天井に複数本の吊りボルト（図示せず）を介して吊り下げられ、この室内機本体１の下側を向いた開口面には、化粧パネル９が重ね合わせて取り付けられている。
【００１６】
図２は、室内機本体１を示す分解斜視図である。
【００１７】
この室内機本体１は、板金製の外箱１１を有している。この外箱１１は、略コ字形に曲げられた外箱本体１１Ａと、この外箱本体１１Ａの両端に取り付けられた一対の端板１１Ｂとを備えて構成されている。この外箱１１の内側には、断熱材１３が配置されている。この断熱材１３は、各端板１１Ｂに対応して配置された一対の発泡スチロール製の端部材１３Ａと、これら端部材１３Ａ間をつなぐポリエチレン製のつなぎ部材１３Ｂとで構成されている。５は略Ｕ字形に形成された熱交換器、１５はドレンポンプである。
【００１８】
図３は、室内機本体１とドレンパン７とを示す分解斜視図である。
【００１９】
この室内機本体１が組み立てられた後、外箱１の開口内には、発泡スチロール製のドレンパン７が嵌合される。このドレンパン７の中央には、大きな吸込み開口７Ａが形成され、この開口７Ａの両側には、一対の細長い吹出し開口７Ｂが形成されている。すなわち、送風機３によって、吸込み開口７Ａを通じて吸い込まれた室内空気が、外箱１１の内側に配置された熱交換器５によって熱交換され、この熱交換された調和空気が、吸込み開口７Ａの両側に形成された一対の細長い吹出し開口７Ｂを通じて室内に吹き出される。
【００２０】
１７は板金製の補強金具であり、この補強金具１７は、ドレンパン７の吸込み開口７Ａの側縁部に宛われ、補強金具１７の両端が、ねじ１９を介して、外箱１１の端板１１Ｂの上縁部１１Ｃに固定されている。
【００２１】
この板金製の外箱１１は変形し、撓みやすい。そこで、外箱１１の略中央部に、外箱１１の外壁とドレンパン７の固定部間に掛け渡された、センター金具２１が設けられ、このセンター金具２１によって、外箱１１の天板１１Ｄの反り、及び外箱１１の中央部の開きが防止されている。
【００２２】
図４は、室内機本体１に送風機３を組み込む手順を示している。
【００２３】
この送風機３は、箱形に形成された板金製の仕切り板４１に固定され、この仕切り板４１は、複数本のビスを介して、室内機本体１（補強板１７）に固定されている。具体的には、この送風機３は中央部にモータ３１を配置し、このモータ３１の両側の出力軸に羽根車３２を備えて構成されている。この羽根車３２はファンケース３３によって囲われ、このファンケース３３は、上ケース３３Ａと下ケース３３Ｂとに上下２分割されている。
【００２４】
上ケース３３Ａの両側には、図４Ｂに示すように、フランジ３６が一体的に形成され、この上ケース３３Ａは、その一部３３Ｃを仕切り板４１の外に突出させて、該仕切り板４１の開口に装着され、このフランジ３６は、該フランジ３６にビスを通して仕切り板４１に固定されている。
【００２５】
この仕切り板４１は、図１に示すように、上述した外箱１１の内部を上下に仕切っており、仕切り板４１の下方には一次空間４１Ａが形成され、仕切り板４１の上方には二次空間４１Ｂが形成されている。
【００２６】
上ケース３３Ａは、フランジ３６を介して、仕切り板４１に固定されるため、仕切り板４１の強度が増大し、しかも一次空間４１Ａと二次空間４１Ｂとの間のシール性を向上させることができる。
【００２７】
上記送風機３は、空気吸込み口を仕切り板４１の下の一次空間４１Ａに臨ませ、空気吹き出し口を仕切り板４１の上の二次空間４１Ｂに臨ませ、上ケース３３Ａのフランジ３６よりも上に位置するファンケースの一部３３Ｃを仕切り板４１の上の二次空間４１Ｂに臨ませている。
【００２８】
本実施形態では、図１を参照し、上ケース３３Ａのフランジ３６よりも上に位置するファンケースの一部３３Ｃを、仕切り板４１の開口を通じて、上の二次空間４１Ｂに臨ませているため、従来のように、外箱１１内に設置された仕切り板４１の下の一次空間４１Ａ内に、送風機３のファンケース３３のすべてを収容したものに比べて、その分だけ仕切り板４１の位置が低くなるため、従来とほぼ等価の風路を、外箱１１内に十分に確保した上で、当該外箱１１の高さ方向の寸法を低く抑えることができる。
【００２９】
従って、天井裏の高さが低いビル等の建物に対しても、その天井裏に簡単に設置することができる等の効果が得られる。
【００３０】
つぎに、別の実施形態を説明する。
【００３１】
図４を参照し、この送風機３は、上ケース３３Ａと下ケース３３Ｂとを複数本のビスで接合した場合、このファンケース３３の両側に、空気吸込み口を画成するノズル３３Ｄが一体的に形成される。
【００３２】
そして、この別の実施形態では、ファンケース３３の側面であって、ノズル３３Ｄの下部、すなわち下ケース３３Ｂのノズル３３Ｄの下部に、ノズル外周の略１／３の長さを備えた、略円弧状の突起３３Ｅを備えて構成されている。３３Ｆは、送風機３の吹出し口である。
【００３３】
図５は、突起３３Ｅを設けた場合の騒音測定結果、図６は、突起３３Ｅを設けない場合の騒音測定結果を示している。
【００３４】
図６と比較した場合、本実施形態では、送風機３によって送風される風が、突起３３Ｅによって整流されてスムーズに送風機３に導かれるため、全体騒音が４２．１ｄｂから４０．６ｄｂに低下し、特に４００Ｈｚ近傍の騒音が４３．０ｄｂから３９．３ｄｂと大きく低減された。
【００３５】
上記各実施形態では、仕切り板４１をいわゆる断熱鋼板で形成することが望ましい。この場合、仕切り板４１の断熱面を当該仕切り板４１の上の二次空間４１Ｂに臨ませることが望ましい。これによれば、図１を参照して、仕切り板４１と内部発泡スチロール１３間のシール性が向上され、しかも二次空間４１Ｂ内で発生する騒音が吸収されるからである。
【００３６】
以上、一実施の形態に基づいて本発明を説明したが、本発明は、これに限定されるものでないことは明らかである。
【００３７】
【発明の効果】
本発明では、天井埋込型空気調和装置における、外箱の高さ方向の寸法が抑制され、小型化が図られる。
【図面の簡単な説明】
【図１】本発明による天井埋込型空気調和装置の一実施形態を示す断面図である。
【図２】空気調和機本体の分解斜視図である。
【図３】空気調和機本体とドレンパンの分解斜視図である。
【図４】空気調和機本体とドレンパンと送風機の分解斜視図である。
【図５】本実施形態による騒音測定結果を示す図である。
【図６】従来の騒音測定結果を示す図である。
【符号の説明】
１  室内機本体
３  送風機
５  熱交換器
１１  外箱
３３  ファンケース
３３Ａ  上ケース
３３Ｂ  下ケース
３３Ｃ  一部
３３Ｄ  ノズル
３３Ｅ  突起
３６  フランジ
４１  仕切り板
４１Ａ  一次空間
４１Ｂ  二次空間
【図１】
0004017411.tif 000002
【図２】
0004017411.tif 000003
【図３】
0004017411.tif 000004
【図４】
0004017411.tif 000005
【図５】
0004017411.tif 000006
【図６】
0004017411.tif 000007